(57)【要約】【課題】空気を加湿する運転及び空気を清浄する運転をより適切に行うことができ、且つ任意の位置の湿度をより効率よく高めることができる加湿空気清浄機を得る。【解決手段】加湿空気清浄機は、空気を清浄する清浄手段と、空気を加湿する加湿手段と、空気を吹き出すための吹出部と、吹出部から空気を吹き出させる送風手段と、送風手段を制御する制御手段と、を備える。制御手段は第１制御及び第２制御を行う。制御手段によって第１制御が行われると、加湿手段によって加湿された空気が吹出部から横方向に吹き出される。制御手段によって第２制御が行われると、清浄手段によって清浄された空気が吹出部から吹き出される。制御手段は、第２制御が行われる際に吹出部から吹き出される空気の風量を第１制御が行われる際に吹出部から吹き出される空気の風量よりも大きくするように送風手段を制御する。【選択図】図４
2017215127.tif 000002
【特許請求の範囲】
【請求項１】
空気を清浄する清浄手段と、
空気を加湿する加湿手段と、
空気を吹き出すための吹出部と、
前記吹出部から空気を吹き出させる送風手段と、
前記送風手段を制御する制御手段と、
を備え、
前記制御手段は第１制御及び第２制御を行い、
前記制御手段によって前記第１制御が行われると、前記加湿手段によって加湿された空気が前記吹出部から横方向に吹き出され、
前記制御手段によって前記第２制御が行われると、前記清浄手段によって清浄された空気が前記吹出部から吹き出され、
前記制御手段は、前記第２制御が行われる際に前記吹出部から吹き出される空気の風量を前記第１制御が行われる際に前記吹出部から吹き出される空気の風量よりも大きくするように前記送風手段を制御する加湿空気清浄機。
【請求項２】
前記吹出部には、第１吹出口及び第２吹出口が形成され、
前記制御手段によって前記第１制御が行われると、前記加湿手段によって加湿された空気が前記第１吹出口から横方向に吹き出される請求項１に記載の加湿空気清浄機。
前記制御手段によって前記第２制御が行われると、前記清浄手段によって清浄された空気が前記第２吹出口から吹き出される請求項１に記載の加湿空気清浄機。
【請求項３】
前記第１吹出口と前記第２吹出口とは上下に並んで配置され、
前記制御手段によって前記第１制御が行われると、前記清浄手段によって清浄された空気が前記第２吹出口から横方向に吹き出される請求項２に記載の加湿空気清浄機。
【請求項４】
前記加湿手段は、水が貯められる貯水部及び前記貯水部に貯められた水を加熱して蒸気を発生させる加熱部を有する請求項１から請求項３の何れか１項に記載の加湿空気清浄機。
【請求項５】
前記加湿手段は、水が貯められる貯水部及び前記貯水部に貯められた水を加熱して蒸気を発生させる加熱部を有し、
前記第１吹出口は、前記第２吹出口の下方に配置される請求項３に記載の加湿空気清浄機。
【請求項６】
前記制御手段に第１指示及び第２指示を送信する切替手段を更に備え、
前記制御手段は、前記第１制御を行っている際に前記第１指示を受信すると前記第１制御を終了して前記第２制御を行い、前記第２制御を行っている際に前記第２指示を受信すると前記第２制御を終了して前記第１制御を行う請求項１から請求項５の何れか１項に記載の加湿空気清浄機。
【請求項７】
前記制御手段は、前記第２制御を一定時間だけ行い、前記一定時間が経過すると前記第１制御を行う請求項１から請求項６の何れか１項に記載の加湿空気清浄機。
【請求項８】
切替運転モードを含む複数の運転モードが記憶されている記憶手段と、
前記複数の運転モードの中から１つの運転モードを選択する選択手段と、
を更に備え、
前記制御手段は、前記選択手段によって前記切替運転モードが選択されると前記第２制御を一定時間だけ行い、前記一定時間が経過すると前記第１制御を行う請求項１から請求項６の何れか１項に記載の加湿空気清浄機。
【請求項９】
前記複数の運転モードには、第１運転モード及び第２運転モードが含まれ、
前記制御手段は、前記選択手段によって前記第１運転モードが選択されると前記第１制御を行い、前記選択手段によって前記第２運転モードが選択されると前記第２制御を行う請求項８に記載の加湿空気清浄機。
【請求項１０】
空気の清浄度を検出する清浄度検出手段を更に備え、
前記一定時間は、前記清浄度検出手段によって検出された空気の清浄度に応じて変更される請求項７から請求項９の何れか１項に記載の加湿空気清浄機。
【請求項１１】
空気の清浄度を検出する清浄度検出手段を更に備え、
前記制御手段は、前記第１制御を前記一定時間だけ行っている際、前記清浄度検出手段によって検出された空気の清浄度に応じて前記送風手段を制御する請求項７から請求項９の何れか１項に記載の加湿空気清浄機。
【請求項１２】
湿度を検出する湿度検出手段を更に備え、
前記制御手段は、前記第１制御を行っている際に前記湿度検出手段によって検出された湿度が一定湿度以上になると前記第１制御を終了する請求項１から請求項１１の何れか１項に記載の加湿空気清浄機。
【請求項１３】
湿度を検出する湿度検出手段を更に備え、
前記制御手段は、前記第１制御を行っている際に前記湿度検出手段によって検出された湿度が一定湿度以上になると前記第１制御を終了して前記第２制御を行う請求項１から請求項１１の何れか１項に記載の加湿空気清浄機。
【発明の詳細な説明】
【技術分野】
【０００１】
本発明は、加湿空気清浄機に関する。
【背景技術】
【０００２】
特許文献１に、加湿器が記載されている。特許文献１に記載された加湿器は、器枠、送風機、フィルター及び霧発生部を備える。器枠には、吹出口が形成される。送風機は、気流を発生させて器枠内へ空気を取り込む。フィルターは、器枠内へ取り込まれた空気を清浄する。また霧発生部は、器枠内へ取り込まれた空気を加湿する。
【０００３】
特許文献１に記載された加湿器は、空気を加湿する運転と空気を清浄する運転とを行う。空気を加湿する運転の際には、霧発生部によって加湿された空気とフィルターによって清浄された空気とが、吹出口から吹き出される。また空気を清浄する運転の際には、フィルターによって清浄された空気が、吹出口から吹き出される。
【先行技術文献】
【特許文献】
【０００４】
【特許文献１】実開平４‐１３３４号公報
【発明の概要】
【発明が解決しようとする課題】
【０００５】
上記の特許文献１において、吹出口から吹き出される空気の量は、空気を加湿する運転及び空気を清浄する運転のそれぞれに合わせて調整されない。このため特許文献１においては、空気を加湿する運転及び空気を清浄する運転が、必ずしも適切に行われない。また上記の特許文献１において吹出口から吹き出された加湿された空気は、清浄された空気によって拡散する。特許文献１に記載の加湿器は、例えば使用者が所望する位置の湿度を高くすることが難しい。
【０００６】
本発明は、上記のような課題を解決するためになされたものである。本発明の目的は、空気を加湿する運転及び空気を清浄する運転をより適切に行うことができ、且つ任意の位置の湿度をより効率よく高めることができる加湿空気清浄機を提供することである。
【課題を解決するための手段】
【０００７】
本発明に係る加湿空気清浄機は、空気を清浄する清浄手段と、空気を加湿する加湿手段と、空気を吹き出すための吹出部と、吹出部から空気を吹き出させる送風手段と、送風手段を制御する制御手段と、を備える。制御手段は第１制御及び第２制御を行う。制御手段によって第１制御が行われると、加湿手段によって加湿された空気が吹出部から横方向に吹き出される。制御手段によって第２制御が行われると、清浄手段によって清浄された空気が吹出部から吹き出される。制御手段は、第２制御が行われる際に吹出部から吹き出される空気の風量を第１制御が行われる際に吹出部から吹き出される空気の風量よりも大きくするように送風手段を制御する。
【発明の効果】
【０００８】
本発明に係る加湿空気清浄機は、第１制御及び第２制御を行う制御手段を備える。制御手段によって第１制御が行われると、加湿された空気が横方向に吹き出される。制御手段によって第２制御が行われると、清浄された空気が吹き出される。制御手段は、第２制御が行われる際に吹き出される空気の風量を第１制御が行われる際に吹き出される空気の風量よりも大きくするように送風手段を制御する。このため、本発明に係る加湿空気清浄機は、空気を加湿する運転及び空気を清浄する運転をより適切に行うことができ、且つ任意の位置の湿度をより効率よく高めることができる。
【図面の簡単な説明】
【０００９】
【図１】実施の形態１の加湿空気清浄機を示す斜視図である。
【図２】実施の形態１の加湿運転時の加湿空気清浄機を示す縦断面図である。
【図３】実施の形態１の空気清浄運転時の加湿空気清浄機を示す縦断面図である。
【図４】実施の形態１の加湿空気清浄機の動作を示すフローチャートである。
【図５】実施の形態１の制御装置の処理回路の構成例を示す図である。
【発明を実施するための形態】
【００１０】
以下、添付の図面を参照して、実施の形態について説明する。尚、各図における同一部分または相当部分は、同一の符号を付して、重複する説明を簡略化または省略する。
【００１１】
実施の形態１．
図１は、実施の形態１の加湿空気清浄機１００を示す斜視図である。加湿空気清浄機１００は、加湿運転と空気清浄運転とを行う装置である。加湿運転とは、空気を加湿する運転である。空気清浄運転とは、空気を清浄する運転である。一例として加湿空気清浄機１００は、室内で使用される。加湿空気清浄機１００は、例えば加湿運転によって室内の空気を加湿する。また加湿空気清浄機１００は、例えば空気清浄運転によって室内の空気を清浄する。
【００１２】
図２は、実施の形態１の加湿運転時の加湿空気清浄機１００を示す縦断面図である。図３は、実施の形態１の空気清浄運転時の加湿空気清浄機１００を示す縦断面図である。ここで本実施の形態では、図２及び図３の紙面上の左右方向を、前後方向とする。また図２及び図３の紙面上の上下方向を、上下方向とする。図２及び図３の紙面に垂直な方向を、左右方向とする。本実施の形態における前後方向及び左右方向は、横方向に含まれる。
【００１３】
図１から図３を参照して、加湿空気清浄機１００の構成及び各構成部品の機能について説明する。加湿空気清浄機１００は、例えば本体部１及び給水タンク２を備える。給水タンク２は、例えば本体部１の後側の上部に装着される。給水タンク２は、本体部１に対して着脱自在に形成される。使用者は、本体部１から取り外された給水タンク２に、水を補充することができる。
【００１４】
また加湿空気清浄機１００は、例えば貯水部３を備える。貯水部３は、水を貯める部位である。貯水部３は、例えば本体部１の後側の内部に設けられる。貯水部３には、タンク受部４が形成される。タンク受部４は、上方に向けて開口する凹型に形成される。タンク受部４の内部には、タンク受部４の上方と連通する空間が形成される。
【００１５】
給水タンク２には、取付部５が設けられる。取付部５は、タンク受部４に対して、着脱自在に連結される部位である。給水タンク２は、取付部５が下方を向くように、本体部１に装着される。給水タンク２は、取付部５がタンク受部４の内部に入り込むように装着される。また取付部５は、給水タンク２が本体部１に装着された状態において、下方に向けて開口している。
【００１６】
また給水タンク２には、給水弁６が設けられている。給水弁６は、給水タンク２が本体部１に装着された状態において、給水タンク２の下面と取付部５との間に位置する。給水弁６は、取付部５がタンク受部４に連結されると開く。給水弁６は、取付部５がタンク受部４から取り外されると閉じる。
【００１７】
すなわち給水弁６は、給水タンク２が本体部１に装着されることによって開く。給水弁６が開くと、給水タンク２から、取付部５を介して貯水部３に水が供給される。これにより、貯水部３に水が貯められる。一例として、貯水部３には、取付部５に形成された開口の高さに水位が達するように、水が貯められる。
【００１８】
本実施の形態の加湿空気清浄機１００は、空気を加湿する加湿手段の一例として、蒸気生成部７を備える。蒸気生成部７は、例えば本体部１の内部に設けられる。蒸気生成部７は、一例として、蒸発皿８及びヒータ９を有する。また蒸気生成部７は、例えば蒸気カバー７ａを有していてもよい。
【００１９】
蒸発皿８は、皿状の部位である。蒸発皿８は、水を貯める部位である。蒸発皿８の底面には、開口が形成されている。蒸発皿８の底面に形成された開口は、ホース１０によって、貯水部３の底部に接続される。蒸発皿８には、ホース１０を介して、貯水部３から水が供給される。これにより、蒸発皿８に水が貯められる。
【００２０】
また蒸発皿８は、例えばアルミニウム等の金属材料によって形成される。ヒータ９は、例えば蒸発皿８の側面の外周に設けられる。また蒸気カバー７ａは、蒸発皿８を覆うように、蒸発皿８の上方に設けられる。蒸気カバー７ａの上面には、上下に貫通した孔が形成される。
【００２１】
ヒータ９は、蒸発皿８を加熱する。これにより、蒸発皿８に貯められた水が加熱される。蒸発皿８に貯められた水は、加熱されることによって沸騰する。蒸発皿８に貯められた水が沸騰することにより、蒸気Ｗ１が生成される。蒸気Ｗ１は、蒸気カバー７ａの上面に形成された孔を介し、蒸気生成部７の上方へ放出される。これにより、蒸気生成部７の上方の空気が加湿される。
【００２２】
本実施の形態の加湿空気清浄機１００は、例えば第１ダクト１１を備える。第１ダクト１１は、内部に風路を有する部位である。第１ダクト１１は、一端が本体部１の内部に位置するように設けられる。第１ダクト１１は、蒸気Ｗ１を一端から内部に取り込むように設けられる。
【００２３】
第１ダクト１１の他端には、第１吹出口１２が形成される。第１吹出口１２は、空気を吹き出すための開口である。一例として第１吹出口１２は、前方へ向く。すなわち第１吹出口１２は、横方向に向く。第１ダクト１１は、例えば湾曲した形状に形成される。一例として第１ダクト１１は、一端から上方に向かって伸びた後に第１吹出口１２向かって伸びるように形成される。
【００２４】
第１ダクト１１の内部には、ガードリブ１３が設けられてもよい。ガードリブ１３は、例えば異物及び使用者の手等が第１吹出口１２から第１ダクト１１の内部へ侵入することを妨げるように設けられる。これにより、例えばヒータ９によって加熱された高温の空間に使用者の手が侵入することが防止される。また異物が第１ダクト１１の内部へ侵入してから蒸気生成部７へ落下することが防止される。
【００２５】
また第１ダクト１１のうち、前方に向かって第１吹出口１２まで伸びる部分の底面は、第１吹出口１２に向かって上方に傾斜していてもよい。これにより、例えば第１ダクト１１内で発生した結露水は、第１ダクト１１あるいは蒸気生成部７の内部へ留まる。
【００２６】
本実施の形態において、本体部１の後部には、吸気口１４が形成されている。吸気口１４は、本体部１の外部から本体部１の内部へ空気を取り込むための開口である。一例として吸気口１４は、貯水部３の下方に形成される。
【００２７】
加湿空気清浄機１００は、例えば第２ダクト１５を備える。第２ダクト１５は、内部に風路を有する部位である。第２ダクト１５の一端には、気流取込口１６が形成されている。第２ダクト１５は、気流取込口１６が本体部１の内部で下方を向くように設けられる。
【００２８】
第２ダクト１５の他端には、第２吹出口１７が形成される。第２吹出口１７は、空気を吹き出すための開口である。第１吹出口１２が形成された第１ダクト１１と第２吹出口１７が形成された第２ダクト１５とは、空気を吹き出すための吹出部の一例である。
【００２９】
第２ダクト１５は、例えば第２吹出口１７が本体部１の前方へ向かって突出するように形成される。第２ダクト１５は、気流取込口１６から上方に向かって伸びてから第２吹出口１７に向かって前方へ伸びるように形成される。第２ダクト１５は、第１ダクト１１の後方及び上方を通るように設けられる。
【００３０】
第２ダクト１５は、一例として、第２吹出口１７が第１吹出口１２の上に並ぶように設けられる。言い換えると、第１吹出口１２は、第２吹出口１７の下方に配置される。本実施の形態において第１吹出口１２と第２吹出口１７とは、上下に並んで配置される。
【００３１】
ここで、第１ダクト１１の内部には、蒸気生成部７の上方に蒸気混合空間１８が形成されている。また本体部１の内部には、第２ダクト１５の内部の風路と蒸気混合空間１８とを連通させるガイド風路１９が形成される。ガイド風路１９は、例えば蒸気混合空間１８の中央に対して水平方向に偏った位置に形成される。
【００３２】
また本体部１の内部の下部には、吸気風路２０が形成される。吸気風路２０は、吸気口１４から気流取込口１６へ至る空間である。
【００３３】
本実施の形態の加湿空気清浄機１００は、空気を吹き出させる送風手段の一例として、ファン２１を備える。ファン２１は、例えば吸気風路２０の内部に設けられる。ファン２１は、モータ２１ａ及び翼部２１ｂを有する。モータ２１ａと翼部２１ｂとは、接続されている。モータ２１ａは翼部２１ｂを回転させる。
【００３４】
ファン２１は、翼部２１ｂの回転によって、本体部１の外部から吸気口１４を介して気流取込口１６へ向かう気流を発生させる。ファン２１は、気流を発生させることにより、本体部１の外部の室内空気Ｗ２を、吸気口１４を介して吸気風路２０へ取り込む。
【００３５】
また本実施の形態の加湿空気清浄機１００は、空気を清浄する清浄手段の一例として、空気清浄フィルター２２を備える。空気清浄フィルター２２は、例えば吸気風路２０の内部に設けられる。空気清浄フィルター２２は、例えば吸気口１４とファン２１との間に配置される。
【００３６】
空気清浄フィルター２２は、例えば室内空気Ｗ２に含まれる塵埃を捕集する。これにより、室内空気Ｗ２に含まれる塵埃が除去される。空気清浄フィルター２２によって塵埃が除去された室内空気Ｗ２は、清浄空気Ｗ３となる。また空気清浄フィルター２２は、例えば本体部１から取り外し可能に形成される。使用者は、本体部１から取り外した空気清浄フィルター２２を清掃することができる。
【００３７】
第２ダクト１５には、風向調整部２３が設けられてもよい。風向調整部２３は、第２吹出口１７から吹き出される空気の風向を調整する部位である。風向調整部２３は、例えば板状の部材である。風向調整部２３は、例えば第２吹出口１７の上側の縁に設けられる。風向調整部２３は、例えば第２吹出口１７から前方に向かって一端が突出するように設けられる。風向調整部２３は、例えば他端が左右方向から軸支される。風向調整部２３は、軸支された他端を中心にして回動可能に形成される。すなわち風向調整部２３の一端は、軸支された他端を中心にして上下方向に回動可能である。
【００３８】
また加湿空気清浄機１００は、一例として、操作表示部２４を備える。操作表示部２４は、例えば本体部１の前面に設けられる。操作表示部２４は、操作部２４ａ及び表示部２４ｂを有する。
【００３９】
操作部２４ａは、操作手段の一例である。操作部２４ａには、例えば電源スイッチ及び操作スイッチが含まれる。電源スイッチは、加湿空気清浄機１００の電源をオンまたはオフにするためのものである。操作スイッチは、加湿空気清浄機１００の操作及び加湿空気清浄機１００の設定を行うためのものである。操作部２４ａは、使用者からの操作に応じた信号を送信する機能を有する。
【００４０】
表示部２４ｂは、加湿空気清浄機１００の状態を示す表示手段の一例である。表示部２４ｂは、例えばＬＥＤ等のランプを有する。表示部２４ｂは、例えばランプの点灯及び消灯によって、加湿空気清浄機１００の状態を使用者に対して示す。
【００４１】
加湿空気清浄機１００は、加湿空気清浄機１００に備えられた各機器を制御する装置の一例として、制御装置２５を備える。制御装置２５は、例えば本体部１の内部に設けられる。制御装置２５は、操作表示部２４に接続される。制御装置２５と操作表示部２４とは、相互に通信が可能である。
【００４２】
加湿空気清浄機１００は、各種のセンサ系統を備えてもよい。この各種のセンサ系統には、例えば清浄度検出部２６及び湿度検出部２７が含まれる。清浄度検出部２６は、空気の清浄度を検出する清浄度検出手段の一例である。湿度検出部２７は、湿度を検出する湿度検出手段の一例である。
【００４３】
清浄度検出部２６は、例えば本体部１の内部で空気清浄フィルター２２の上方に設けられる。清浄度検出部２６は、例えば吸気口１４の近傍に設けられる。清浄度検出部２６は、例えばほこりセンサ及び臭いセンサを有する。ほこりセンサは、室内空気Ｗ２中のほこりを検出する。臭いセンサは、室内空気Ｗ２中の臭い成分を検出する。清浄度検出部２６は、ほこりセンサ及び臭いセンサによって、室内空気Ｗ２の空気清浄度を検出する。なお清浄度検出部２６は、ほこりセンサ及び臭いセンサのうちの一方のみを有していてもよい。
【００４４】
湿度検出部２７は、例えば本体部１の内部で空気清浄フィルター２２の上方に設けられる。湿度検出部２７は、例えば吸気口１４の近傍に設けられる。湿度検出部２７は、例えば絶対湿度を検出する湿度センサを有する。湿度検出部２７は、例えば湿度センサによって、室内空気Ｗ２の絶対湿度を検出する。また湿度検出部２７は、室内空気Ｗ２の温度を検出する室温センサを有してもよい。湿度検出部２７は、例えば湿度センサと室温センサとによって、相対湿度を検出するものであってもよい。
【００４５】
また加湿空気清浄機１００に備えられたセンサ系統には、例えば水位検出部及び人体検出部が含まれてもよい。水位検出部は、給水タンク２内の水位を検出する。人体検出部は、加湿空気清浄機１００の周囲の人の存在の有無を検出する。また人体検出部は、加湿空気清浄機１００から人までの距離を検出してもよい。
【００４６】
加湿空気清浄機１００に備えられたセンサ系統には、近接センサ及びダクト温度検出部が含まれてもよい。近接センサは、第１吹出口１２に人が接近したことを検出する。また近接センサは、本体部１または第１ダクト１１に人体が接触したことを検出する機能を有してもよい。ダクト温度検出部は、第１ダクト１１内の温度を検出するものである。ダクト温度検出部は、例えば第１ダクト１１の内部に設けられた温度センサ等によって構成される。
【００４７】
制御装置２５は、入力部と出力部とを有する。加湿空気清浄機１００に備えられた各種のセンサ系統は、制御装置２５の入力部に接続される。各種のセンサ系統は、検出した情報に応じた信号を、制御装置２５へ入力する。また制御装置２５の出力部には、加湿空気清浄機１００に備えられた各機器が接続される。制御装置２５は、例えば各種のセンサ系統から受信した信号に基づいて、出力部に接続された機器を通電によって制御する。
【００４８】
制御装置２５の出力部には、例えばファン２１のモータ２１ａが接続される。制御装置２５は、モータ２１ａを通電によって制御する。制御装置２５は、ファン２１の駆動及び停止を制御する。制御装置２５は、ファン２１によって送られる空気の風量及び風速を調整する。
【００４９】
また、制御装置２５の出力部には、例えば操作表示部２４及びヒータ９が接続される。制御装置２５は、通電によって、操作表示部２４及びヒータ９を制御する。制御装置２５は、例えば表示部２４ｂのランプを点灯または消灯させる。
【００５０】
制御装置２５は、一例として制御部２５ａ、記憶部２５ｂ、選択部２５ｃを有する。制御部２５ａは、制御装置２５の出力部に接続された機器を制御するための部位である。制御部２５ａは、例えばファン２１及びヒータ９を制御する。制御部２５ａは、送風手段を制御する制御手段の一例である。また制御部２５ａは、操作部２４ａと通信を行う。制御部２５ａは、操作部２４ａからの信号に基づいて動作する。
【００５１】
記憶部２５ｂは、記憶手段の一例である。記憶部２５ｂには、例えば複数の運転モードが記憶される。複数の運転モードには、例えば加湿運転モード、空気清浄運転モード及び切替運転モードが含まれる。加湿運転モードは、加湿運転を行うための第１運転モードの一例である。空気清浄運転モードは、空気清浄運転を行うための第２運転モードの一例である。切替運転モードとは、空気清浄運転が一定時間だけ行われてから加湿運転が行われる運転モードである。各運転モードにおける加湿空気清浄機１００の動作についてのより詳細な説明は、後述する。
【００５２】
選択部２５ｃは、例えば操作部２４ａ及び記憶部２５ｂと接続される。操作部２４ａは、使用者からの操作に応じた信号を選択部２５ｃに送信する。選択部２５ｃは、操作部２４ａから受信した信号に応じて、記憶部２５ｂに記憶された複数の運転モードの中から１つの運転モードを選択する。選択部２５ｃは、選択手段の一例である。
【００５３】
本実施の形態の加湿空気清浄機１００の使用者は、操作部２４ａを操作することによって、記憶部２５ｂに記憶された複数の運転モードの中から１つの運転モードを選択することができる。制御部２５ａは、記憶部２５ｂから情報を読み出す機能を有する。制御部２５ａは、例えば選択された運転モードの情報を記憶部２５ｂから読み出す。制御部２５ａは、読み出した運転モードの情報に基づいて、加湿空気清浄機１００に備えられた各機器を制御する。
【００５４】
図４は、実施の形態１の加湿空気清浄機１００の動作を示すフローチャートである。図２から図４を参照して、本実施の形態の加湿空気清浄機１００の動作について説明する。
【００５５】
加湿空気清浄機１００の使用者は、まず操作部２４ａの電源スイッチをオンの状態に操作する。これにより、加湿空気清浄機１００の電源がオンの状態になる。加湿空気清浄機１００は、電源がオンの状態になることにより、動作を開始する（ステップＳ１）。
【００５６】
使用者は、加湿空気清浄機１００の電源をオンにした後、操作部２４ａを操作することによって運転モードの選択を行う。ステップＳ１で電源がオンになると、制御部２５ａは、選択された運転モードの情報を記憶部２５ｂから読み出す。制御部２５ａは、読み出した情報に基づいて、選択された運転モードの判定を行う（ステップＳ２）。
【００５７】
制御部２５ａは、加湿運転モードが選択されたと判定すると、ファン２１及びヒータ９を駆動させる（ステップＳ３）。ファン２１及びヒータ９が駆動することにより、図２に示す加湿運転が開始される。
【００５８】
加湿運転においてファン２１は、図２に示すように、本体部１の外部から吸気口１４を介して気流取込口１６へ向かう気流を発生させる。これにより、室内空気Ｗ２が本体部１の内部へ取り込まれる。またヒータ９が駆動することにより、蒸気W１が生成される。蒸気W１は、蒸気生成部７から蒸気混合空間１８へ放出される。
【００５９】
ファン２１によって本体部１の内部へ取り込まれた室内空気Ｗ２は、空気清浄フィルター２２によって、清浄空気Ｗ３となる。清浄空気Ｗ３は、気流取込口１６から第２ダクト１５内へ流入する。
【００６０】
第２ダクト１５内へ流入した清浄空気Ｗ３の一部は、ガイド風路１９によって、蒸気混合空間１８へ導かれる。蒸気混合空間１８の内部では、ガイド風路１９によって導かれた清浄空気Ｗ３と蒸気Ｗ１とが混ざり合う。清浄空気Ｗ３と蒸気Ｗ１とは、混ざり合って高湿空気Ｗ４となる。なお蒸気混合空間１８は、例えば円筒形状の空間に形成されてもよい。蒸気混合空間１８が円筒形状である場合、清浄空気Ｗ３と蒸気Ｗ１とは、互いに旋回しながら効率よく混ざり合う。
【００６１】
蒸気混合空間１８内で生成された高湿空気Ｗ４は、第１ダクト１１内を流れる。高湿空気Ｗ４は、第１ダクト１１によって、第１吹出口１２へ導かれる。第１吹出口１２へ導かれた高湿空気Ｗ４は、本体部１の外部へ吹き出される。加湿運転において高湿空気Ｗ４は、第１吹出口１２から前方向に吹き出される。すなわち高湿空気Ｗ４は、本体部１に対して横方向に吹き出される。一例として高湿空気Ｗ４は、水平方向に吹き出される。
【００６２】
また第２ダクト１５内へ流入した清浄空気Ｗ３の一部は、第２吹出口１７へ向かって第２ダクト１５内を流れる。すなわち第２ダクト１５は、清浄空気Ｗ３の一部を第２吹出口１７へ導く。加湿運転の際に第２ダクト１５によって第２吹出口１７へ導かれる清浄空気Ｗ３を、搬送空気Ｗ５と呼称する。搬送空気Ｗ５は、第２吹出口１７から前方へ吹き出される。すなわち搬送空気Ｗ５は、本体部１に対して横方向に吹き出される。
【００６３】
図２に示すように、第１吹出口１２へ導かれた高湿空気Ｗ４と第２吹出口１７へ導かれた搬送空気Ｗ５とは、前方へ併進するように吹き出される。前方に併進する高湿空気Ｗ４と搬送空気Ｗ５とは、上下方向から互いに熱交換しながら混ざり合う。高湿空気Ｗ４と搬送空気Ｗ５とは、混ざり合うことによって、加湿空気Ｗ６となる。加湿空気Ｗ６は、加湿対象に向かって吹き出される。
【００６４】
ステップＳ３において制御部２５ａは、ファン２１によって送られる清浄空気Ｗ３の風量が加湿運転に適した風量となるように、ファン２１を制御する。制御部２５ａは、例えば清浄空気Ｗ３の風量が予め設定された風量となるように、ファン２１を制御する。
【００６５】
本実施の形態の加湿空気清浄機１００の加湿対象は、例えば就寝中の使用者の顔である。加湿空気清浄機１００は、例えば加湿空気Ｗ６が就寝中の使用者の顔に当たるように使用される。就寝中の使用者は、顔に当たる空気の風速が０．５［ｍ／ｓ］以下であると、吹かれ感を感じずに快適な状態でいることができる。また加湿空気清浄機１００は、例えば使用者の就寝位置の近傍に置かれて使用される。加湿空気清浄機１００は、例えば使用者の顔から０．７５［ｍ］離れた位置に置かれて使用される。
【００６６】
ステップＳ３において制御部２５ａは、例えば気流取込口１６から第２ダクト１５内へ流入する清浄空気Ｗ３の風量が０．２［ｍ＾３／ｍｉｎ］以下となるように、ファン２１を制御する。またステップＳ３において制御部２５ａは、例えば第２吹出口１７での風速が０．７［ｍ／ｓ］で、かつ第１吹出口１２での風速が１．０［ｍ／ｓ］となるように、ファン２１を制御してもよい。これにより、第２吹出口１７から０．７５［ｍ］先での加湿空気Ｗ６の風速は０．２５［ｍ／ｓ］となる。本例であれば使用者は、吹かれ感のない快適な状態で就寝しつつ、加湿空気Ｗ６を顔に受けることができる。
【００６７】
本実施の形態のステップＳ３において制御部２５ａが行う制御は、第１制御の一例である。すなわち加湿運転モードが選択されたときに制御部２５ａが行う制御は、第１制御の一例である。言い換えると、加湿運転が行われている際、制御部２５ａは第１制御を行う。
【００６８】
制御部２５ａは、ステップＳ３でファン２１及びヒータ９を駆動させると、例えばセンサ系統による検出結果に基づいて、ファン２１及びヒータ９を制御する。これにより、加湿空気清浄機１００の運転の状態が調整される（ステップＳ４）。なお制御部２５ａは、使用者によって予め設定された運転条件に基づいて、ファン２１及びヒータ９を制御してもよい。運転条件は、例えば操作部２４ａによって記憶部２５ｂに設定される。
【００６９】
例えば記憶部２５ｂには、湿度検出部２７によって検出される湿度と、人体検出部によって検出される加湿空気清浄機１００から人までの距離と、人がいる位置での湿度と、の対応関係を示す特性データが予め記憶される。また記憶部２５ｂには、例えば適正湿度範囲が予め記憶される。
【００７０】
制御部２５ａは、例えばセンサ系統による検出結果と記憶部２５ｂに記憶された特性データとに基づいて、人がいる位置での湿度を算出する。制御部２５ａは、算出した湿度と記憶部２５ｂに記憶された適正湿度範囲とに基づいて、ファン２１及びヒータ９を間欠運転させる。制御部２５ａは、例えば算出した湿度が適正湿度範囲を上回るとファン２１及びヒータ９を停止させる。制御部２５ａは、例えば算出した湿度が適正湿度範囲を下回るとファン２１及びヒータ９を駆動させる。
【００７１】
制御部２５ａは、ステップＳ４で加湿空気清浄機１００の運転の状態を調整すると、第１終了条件の判定を行う（ステップＳ５）。第１終了条件は、例えば操作部２４ａの電源スイッチがオフの状態にされていることである。制御部２５ａは、操作部２４ａの電源スイッチがオフの状態にされていることを検知すると、第１終了条件が満たされていると判定する。
【００７２】
なお第１終了条件は、上記例に限られない。例えば記憶部２５ｂには、予め第１設定時間が設定されてもよい。制御部２５ａは、ステップＳ３でファン２１及びヒータ９を駆動させてからの経過時間が第１設定時間以上となった場合に、第１終了条件が満たされたと判定してもよい。この第１設定時間は、例えば使用者が操作部２４ａを操作することによって設定されてもよい。
【００７３】
制御部２５ａは、加湿空気清浄機１００に備えられたセンサ系統の検出結果に基づいて第１終了条件の判定を行ってもよい。制御部２５ａは、水位検出部によって給水タンク２内に水が無いことが検出されると、第１終了条件が満たされたと判定してもよい。
【００７４】
また制御部２５ａは、ダクト温度検出部によって検出された第１ダクト１１内の温度が許容範囲を超えると、第１終了条件が満たされたと判定してもよい。第１ダクト１１内の温度の許容範囲は、例えば記憶部２５ｂに予め設定される。また制御部２５ａは、近接センサによって本体部１または第１ダクト１１に人体が接触したことが検出されると、第１終了条件が満たされたと判定してもよい。
【００７５】
制御部２５ａは、ステップＳ５で第１終了条件が満たされたていないと判定した場合には、第１終了条件が満たされるまでステップＳ４の運転調整及びステップＳ５の判定を継続する。これにより加湿空気清浄機１００は、第１終了条件が満たされるまで加湿運転を継続する。制御部２５ａは、ステップＳ５で第１終了条件が満たされたと判定すると、加湿空気清浄機１００の電源をオフの状態にする（ステップＳ６）。これにより、加湿運転が終了する。
【００７６】
制御部２５ａは、ステップＳ２で切替運転モードが選択されたと判定すると、ファン２１を駆動させる（ステップＳ７）。ファン２１が駆動することにより、図３に示す空気清浄運転が開始される。
【００７７】
空気清浄運転においてファン２１は、図３に示すように、本体部１の外部から吸気口１４を介して気流取込口１６へ向かう気流を発生させる。これにより、室内空気Ｗ２が本体部１の内部へ取り込まれる。ファン２１によって本体部１の内部へ取り込まれた室内空気Ｗ２は、空気清浄フィルター２２によって、清浄空気Ｗ３となる。清浄空気Ｗ３は、気流取込口１６から第２ダクト１５内へ流入する。
【００７８】
第２ダクト１５内へ流入した清浄空気Ｗ３の一部は、ガイド風路１９によって、蒸気混合空間１８へ導かれる。空気清浄運転の際には、ヒータ９が駆動していないため、蒸気Ｗ１は生成されない。蒸気混合空間１８へ導かれた清浄空気Ｗ３は、第１ダクト１１内を流れる。清浄空気Ｗ３は、第１ダクト１１によって、第１吹出口１２へ導かれる。第１吹出口１２に導かれた清浄空気Ｗ３は、本体部１の前方に吹き出される。すなわち空気清浄運転において清浄空気Ｗ３は、第１吹出口１２から本体部１に対して横方向に吹き出される。一例として清浄空気Ｗ３は、第１吹出口１２から水平方向に吹き出される。
【００７９】
また第２ダクト１５内へ流入した清浄空気Ｗ３の一部は、第２吹出口１７へ向かって第２ダクト１５内を流れる。第２ダクト１５は、清浄空気Ｗ３の一部を第２吹出口１７へ導く。清浄空気Ｗ３は、第２吹出口１７から前方へ吹き出される。すなわち清浄空気Ｗ３は、第２吹出口１７から本体部１に対して横方向に吹き出される。
【００８０】
図３に示すように、第１吹出口１２から吹き出された清浄空気Ｗ３と第２吹出口１７から吹き出された清浄空気Ｗ３とは、互いに混ざり合って清浄空気Ｗ７となる。空気清浄運転が行われている際、清浄空気Ｗ７は、本体部１の前方へ向かって吹き出される。
【００８１】
ステップＳ７において制御部２５ａは、ファン２１によって送られる清浄空気Ｗ３の風量が空気清浄運転に適した風量になるように、ファン２１を制御する。制御部２５ａは、例えば清浄空気Ｗ３の風量がファン２１の能力の範囲内で最大となるように、ファン２１を制御する。空気清浄運転の際にファン２１によって送られる清浄空気Ｗ３の風量は、加湿運転の際にファン２１によって送られる清浄空気Ｗ３の風量よりも大きい。
【００８２】
空気清浄運転の際に第１吹出口から吹き出される清浄空気Ｗ３の風量は、加湿運転の際に第１吹出口１２から吹き出されるW４の風量よりも大きくなる。また空気清浄運転の際に第２吹出口１７から吹き出される清浄空気Ｗ３の風量は、加湿運転の際に第２吹出口１７から吹き出される搬送空気W５の風量よりも大きくなる。空気清浄運転の際に本体部１の前方へ吹き出される清浄空気Ｗ７の風量は、加湿運転の際に本体部１の前方へ吹き出される加湿空気Ｗ６の風量よりも大きくなる。空気清浄運転の際には、大きな風量の清浄空気Ｗ７によって、室内の空気がより効率よく清浄される。
【００８３】
本実施の形態のステップＳ７において制御部２５ａが行う制御は、第２制御の一例である。すなわち空気清浄運転モードが選択されたときに制御部２５ａが行う制御は、第２制御の一例である。言い換えると、空気清浄運転が行われている際、制御部２５ａは第２制御を行う。
【００８４】
制御部２５ａは、ステップＳ７でファン２１を駆動させると、切替条件の判定を行う（ステップＳ８）。一例として制御部２５ａは、ステップＳ７でファン２１を駆動させてからの経過時間が第２設定時間以上となった場合に、切替条件が満たされたと判定する。第２設定時間は、例えば記憶部２５ｂに予め設定される。第２設定時間は、例えば使用者が操作部２４ａを操作することによって設定されてもよい。
【００８５】
制御部２５ａは、ステップＳ８で切替条件が満たされていないと判定すると、操作部２４ａの電源スイッチがオフの状態にされているか判定する（ステップＳ９）。制御部２５ａは、電源スイッチがオフの状態にされたと判定すると、上記のステップＳ６と同様に加湿空気清浄機１００の電源をオフの状態にする。これにより、空気清浄運転が終了する。制御部２５ａは、ステップＳ９で電源スイッチがオフの状態にされていないと判定すると、再びステップＳ８の判定を行う。
【００８６】
制御部２５ａは、ステップＳ８で切替条件が満たされたと判定すると、上記のステップＳ３の動作を行う。すなわち制御部２５ａは、ステップＳ８で切替条件が満たされたと判定すると、ヒータ９を駆動させる。また制御部２５ａは、ステップＳ８で切替条件が満たされたと判定すると、ファン２１によって送られる清浄空気Ｗ３の風量が加湿運転に適した風量になるように、ファン２１を制御する。これにより、空気清浄運転が終了して加湿運転が開始される。ステップＳ３以降の動作は、加湿運転モードが選択された場合と同様のため省略する。
【００８７】
本実施の形態の加湿空気清浄機１００は、切替運転モードが選択された場合、切替条件が満たされるまでの一定時間だけ空気清浄運転が行った後に加湿運転を行う。言い換えると、切替運転モードが選択された場合、制御部２５ａは、第２制御を一定時間だけ行った後に第１制御を開始する。
【００８８】
制御部２５ａは、ステップＳ２で空気清浄運転モードが選択されたと判定すると、ファン２１を駆動させる（ステップＳ１０）。ステップＳ１０において制御部２５ａは、上記のステップＳ７と同様に、ファン２１を制御する。制御部２５ａは、ステップＳ１０において第２制御を行う。
【００８９】
ステップＳ１０でファンが駆動すると、図３に示す空気清浄運転が行われる。清浄空気Ｗ３は、第１吹出口１２及び第２吹出口１７から本体部１の前方に吹き出される。第１吹出口１２から吹き出された清浄空気Ｗ３と第２吹出口１７から吹き出された清浄空気Ｗ３とは、互いに混ざり合って清浄空気Ｗ７となる。清浄空気Ｗ７は、本体部１の前方へ向かって吹き出される。
【００９０】
制御部２５ａは、ステップＳ１０でファン２１を駆動させると、第２終了条件の判定を行う（ステップＳ１１）。制御部２５ａは、例えば操作部２４ａの電源スイッチがオフの状態にされていることを検知すると、第２終了条件が満たされていると判定する。
【００９１】
なお第２終了条件は上記例に限られない。例えば記憶部２５ｂには予め第３設定時間が設定されていてもよい。制御部２５ａは、ステップＳ１０でファン２１を駆動させてからの経過時間が第３設定時間以上の場合に、第２終了条件が満たされたと判定してもよい。第３設定時間は、例えば使用者が操作部２４ａを操作することによって設定されてもよい。
【００９２】
制御部２５ａは、ステップＳ１１で第２終了条件が満たされていないと判定した場合には、第２終了条件が満たされるまでステップＳ１１の判定を継続する。空気清浄運転モードが選択された場合、加湿空気清浄機１００は、第２終了条件が満たされるまで空気清浄運転を継続する。制御部２５ａは、ステップＳ１１で第２終了条件が満たされたと判定すると、上記のステップＳ６と同様に加湿空気清浄機１００の電源をオフの状態にする。これにより、空気清浄運転が終了する。
【００９３】
上記の実施の形態の加湿空気清浄機１００は、ファン２１及び制御装置２５を備える。ファン２１は、送風手段の一例である。制御装置２５は、制御手段の一例である制御部２５ａを有する。制御部２５ａは、第１制御及び第２制御を行う。制御部２５ａによって第１制御が行われると、加湿空気Ｗ６が吹き出される。また制御部２５ａによって第２制御が行われると、清浄空気Ｗ７が吹き出される。
【００９４】
上記の実施の形態において制御部２５ａは、第２制御が行われる際に吹き出される清浄空気Ｗ７の風量を第１制御が行われる際に吹き出される加湿空気Ｗ６の風量よりも大きくするようにファン２１を制御する。第１制御が行われている際、すなわち加湿運転の際には、使用者は快適な状態で加湿空気Ｗ６を受けることができる。第２制御が行われている際、すなわち空気清浄運転の際には、大風量の清浄空気Ｗ７によって、室内の空気が効率よく清浄される。上記の実施の形態の加湿空気清浄機１００であれば、加湿運転及び空気清浄運転をより適切に行うことができる。
【００９５】
また加湿運転の際には、加湿空気Ｗ６は本体部１に対して横方向に吹き出される。これにより、加湿空気Ｗ６はより遠くまで送り届けられる。上記の実施の形態の加湿空気清浄機１００であれば、任意の位置の湿度をより効率よく高めることができる。
【００９６】
なお加湿空気清浄機１００は、例えば第２ダクト１５を備えていなくてもよい。加湿空気清浄機１００には、第２吹出口１７が形成されていなくてもよい。加湿空気清浄機１００は、高湿空気Ｗ４を、搬送空気Ｗ５と混合させずに加湿対象まで直接送り出してもよい。また加湿空気清浄機１００は、例えば空気清浄運転の際に、清浄な空気を横方向以外の方向に吹き出すダクト等を別途備えていてもよい。
【００９７】
なお加湿空気清浄機１００は、例えば空気清浄運転が行われる際にガイド風路１９を閉塞する弁等の装置を備えてもよい。加湿空気清浄機１００は、空気清浄運転が行われる際には、蒸気混合空間１８内に清浄空気Ｗ３を流入させないように構成されてもよい。加湿空気清浄機１００は、空気清浄運転の際、第１吹出口１２からは清浄空気Ｗ３を吹き出さずに第２吹出口１７からのみ清浄空気Ｗ３を吹き出すように構成されてもよい。
【００９８】
加湿運転の際には、加湿空気清浄機１００の外部の空気を加湿するための高湿空気Ｗ４が第１ダクト１１を流れて第１吹出口１２から横方向に吹き出される。空気清浄運転の際には、加湿空気清浄機１００の外部の空気を清浄するための清浄空気Ｗ３が第２ダクト１５を流れて第２吹出口１７から吹き出される。加湿空気清浄機１００であれば、外部の空気を加湿するための空気と外部の空気を清浄するための空気とを、それぞれ違う吹出口から吹き出すことができる。
【００９９】
上記の実施の形態においては、貯水部３に貯められた水が、蒸発皿８を介し、ヒータ９によって加熱される。ヒータ９は、貯水部３に貯められた水を加熱する加熱部の一例である。上記の実施の形態であれば、水を加熱するという簡便な構造によって、空気を加湿することができる。
【０１００】
なお水を貯める貯水部３の形状及び構造は、上記実施例に限られない。例えば貯水部３と蒸発皿８は、ホース１０を介さずに一体に形成されてもよい。ヒータ９は一体に形成された蒸発皿８と一体に形成された貯水部３に貯められた水を加熱することによって、蒸気W１を発生させてもよい。
【０１０１】
上記の実施の形態では、第１吹出口１２と第２吹出口１７とは、上下に並んで配置される。制御部２５ａによって第１制御が行われると、高湿空気Ｗ４が第１吹出口１２から横方向に吹き出され、搬送空気Ｗ５が第２吹出口１７から横方向に吹き出される。高湿空気Ｗ４と搬送空気Ｗ５とは、併進しつつ上下方向から互いに熱交換しながら混ざり合うように、吹き出される。これにより加湿空気Ｗ６は低風速でありながらより遠くまで送り届けられる。上記の実施の形態の加湿空気清浄機１００であれば、任意の位置の湿度をより効率よく高めることができる。なお第１吹出口１２が第２吹出口１７の上方に配置されている場合にも、同様の効果が得られる。
【０１０２】
また上記の実施の形態では、第１吹出口１２は、第２吹出口１７の下方に配置される。第１吹出口１２から吹き出される高湿空気Ｗ４は、水の沸騰によって生じた蒸気Ｗ１から生成される。高湿空気Ｗ４は、室温に比べて高温である。このため、第１吹出口１２から吹き出された高湿空気Ｗ４は上昇しようとする。
【０１０３】
第２吹出口１７から吹き出される搬送空気Ｗ５は、室温である。搬送空気Ｗ５は上昇せずに、横方向に吹き出される。横方向に吹き出された搬送空気Ｗ５は、高湿空気Ｗ４の上昇を妨げる。これにより、高湿空気Ｗ４の拡散が抑えられる。上記の実施の形態の加湿空気清浄機１００であれば、より遠い位置まで湿度が高い空気を届けることができる。
【０１０４】
なお第２吹出口１７から吹き出される搬送空気Ｗ５は、例えば水平に比べて下向きに吹き出されてもよい。すなわち搬送空気Ｗ５は、高湿空気Ｗ４の風向と交わる方向に吹き出されてもよい。搬送空気Ｗ５が吹き出される方向は、例えば風向調整部２３によって調整される。また、例えば搬送空気Ｗ５が吹き出される方向と高湿空気Ｗ４が吹き出される方向とが交わるように、第１ダクト１１及び第２ダクト１５が形成されてもよい。搬送空気Ｗ５は、水平に比べて下向きに吹き出されることにより、より効率よく高湿空気Ｗ４と混ざり合う。これにより加湿空気清浄機１００は、より遠くまで加湿空気Ｗ６を届けることができる。
【０１０５】
なお空気を加湿する加湿手段は、上記の実施の形態の蒸気生成部７に限られない。加湿空気清浄機１００は、例えば熱を使用せずに超音波によって空気を加湿する装置を備えてもよい。また加湿空気清浄機１００は、例えばレーヨン等の水を吸収する材料で形成されたフィルターによって空気を加湿する装置を備えてもよい。
【０１０６】
また制御装置２５は、例えば切替手段の一例として切替部２５ｄを有していてもよい。切替部２５ｄは、例えば操作部２４ａ及び制御部２５ａと接続される。操作部２４ａは、使用者からの操作に応じた信号を切替部２５ｄに送信する。切替部２５ｄは、操作部２４ａから受信した信号に応じて、第１指示または第２指示を制御部２５ａへ送信する。
【０１０７】
加湿空気清浄機１００は、加湿運転から空気清浄運転に切替えるための信号を操作部２４ａによって切替部２５ｄへ送信することができるように構成されてもよい。また加湿空気清浄機１００は、空気清浄運転から加湿運転に切替えるための信号を操作部２４ａによって切替部２５ｄへ送信することができるように構成されてもよい。
【０１０８】
使用者は、例えば加湿運転が行われている際、すなわち制御部２５ａによって第１制御が行われている際に、空気清浄運転に切替えるための信号を操作部２４ａによって切替部２５ｄへ送信する。切替部２５ｄは、空気清浄運転に切替えるための信号を操作部２４ａから受信すると、第１指示を制御部２５ａへ送信する。制御部２５ａは、第１制御を行っている際に第１指示を受信すると、第１制御を終了して第２制御を開始する。
【０１０９】
同様に使用者は、例えば空気清浄運転が行われている際、すなわち制御部２５ａによって第２制御が行われている際に、加湿運転に切替えるための信号を操作部２４ａによって切替部２５ｄへ送信する。切替部２５ｄは、加湿運転に切替えるための信号を操作部２４ａから受信すると、第２指示を制御部２５ａへ送信する。制御部２５ａは、第２制御を行っている際に第２指示を受信すると、第２制御を終了して第１制御を開始する。本例であれば使用者は、加湿運転と空気清浄運転とを任意の時点で切替えることができる。
【０１１０】
また上記実施例の加湿空気清浄機１００は、記憶手段の一例として記憶部２５ｂを有する。記憶部２５ｂには、切替運転モードを含んだ複数の運転モードが記憶される。切替運転モードが選択されると、加湿空気清浄機１００は、空気清浄運転を一定時間だけ行ってから加湿運転を行う。これにより加湿空気清浄機１００は、より清浄な加湿空気Ｗ６を加湿対象に向けて吹き出すことができる。なお、記憶部２５ｂには複数の運転モードが記憶されていなくてもよい。記憶部２５ｂには、運転モードとして切替運転モードのみが記憶されていてもよい。加湿空気清浄機１００は、常に空気清浄運転を一定時間だけ行ってから加湿運転を行うものであってもよい。
【０１１１】
上記の実施の形態であれば使用者は、操作部２４ａを操作することによって、任意の時点で切替運転モードを選択することができる。使用者は加湿空気清浄機１００に、例えば就寝前等の任意の時点で空気清浄運転を一定時間だけ行わせてから加湿運転を行わせることができる。使用者は、就寝中等の任意の時点でより清浄な加湿空気Ｗ６を得ることができる。
【０１１２】
また上記実施の形態において記憶部２５ｂには、加湿運転モード及び空気清浄運転モードが記憶される。使用者は、操作部２４ａを操作することによって、任意の時点で所望の運転モードを選択することができる。使用者は、加湿空気清浄機１００に、加湿運転と空気清浄運転とを任意の時点で行わせることができる。
【０１１３】
上記の実施の形態において制御部２５ａは、ステップＳ８で切替条件の判定を行う。切替条件は上記の実施の形態に限られない。例えば制御部２５ａは、清浄度検出部２６によって検出された空気の清浄度が基準以上になると、切替条件が満たされたと判定してもよい。空気の清浄度の基準は、例えば記憶部２５ｂに予め設定される。また上記の実施の形態における第２設定時間は、例えば清浄度検出部２６によって検出された空気の清浄度に基づいて算出または設定されてもよい。
【０１１４】
すなわち、切替運転モードが選択された際に行われる空気清浄運転の一定時間は、空気の清浄度に基づいて変更されてもよい。これにより、切替運転モードが選択された場合に加湿運転の前に行われる空気清浄運転の時間はより適切な時間になる。
【０１１５】
切替運転モードが選択された場合には、一例として予め設定された第２設定時間だけ空気清浄運転が行われる。切替運転モードが選択された際、制御部２５ａは上記ステップＳ７で、清浄度検出部２６によって検出された空気の清浄度に基づいてファン２１を制御してもよい。例えば制御部２５ａは、検出された空気の清浄度が高い場合には、ファン２１の出力を下げさせる。ファン２１の出力が下げられることにより、消費電力が削減される。
【０１１６】
また加湿空気清浄機１００は、例えば加湿運転が行われている際に湿度検出部２７によって検出された湿度が一定湿度以上となると、加湿運転が終了されるように構成されてもよい。例えば制御部２５ａは、第１制御を行っている際に湿度検出部２７によって検出された湿度が一定湿度以上となると、第１制御を終了してもよい。これにより、加湿運転が過剰に行われることが防止される。また制御部２５ａによる第１制御が終了すると、ヒータ９が停止される。ヒータ９の動作時間が適切になることにより、本体部１内の温度が過度に高温になることが防止される。
【０１１７】
また制御部２５ａは、例えば第１制御を行っている際に湿度検出部２７によって検出された湿度が一定湿度以上となると、第１制御を終了して第２制御を開始してもよい。本例であれば使用者は、室内の湿度が十分に高められた後に手間をかけることなく室内の空気を清浄することができる。
【０１１８】
図５は、実施の形態１の制御装置２５の処理回路の構成例を示す図である。制御装置２５は、例えば印刷配線基板を有する。この印刷配線基板上には、一例として、記憶回路、記憶回路に記憶された各種の制御プログラムを実行する演算処理部、演算処理部に対して信号を入出力する入出力回路及び時間を計測するタイマー回路が設けられる。記憶回路、演算処理部、入出力回路及びタイマー回路を、まとめて処理回路とする。
【０１１９】
制御装置２５の制御部２５ａ、記憶部２５ｂ、選択部２５ｃ及び切替部２５ｄの各機能は、この処理回路により実現される。処理回路は、専用ハードウェア６０であってもよい。処理回路は、プロセッサ６１及びメモリ６２を備えていてもよい。処理回路は、一部が専用ハードウェア６０として形成され、更にプロセッサ６１及びメモリ６２を備えていてもよい。図５は、処理回路が、その一部が専用ハードウェア６０として形成され、プロセッサ６１及びメモリ６２を備えている場合の例を示している。
【０１２０】
処理回路の一部が、少なくとも１つの専用ハードウェア６０である場合、処理回路には、例えば、単一回路、複合回路、プログラム化したプロセッサ、並列プログラム化したプロセッサ、ＡＳＩＣ、ＦＰＧＡ、又はこれらを組み合わせたものが該当する。
【０１２１】
処理回路が少なくとも１つのプロセッサ６１及び少なくとも１つのメモリ６２を備える場合、制御装置２５の制御部２５ａ、記憶部２５ｂ、選択部２５ｃ及び切替部２５ｄの各機能は、ソフトウェア、ファームウェア、又はソフトウェアとファームウェアとの組み合わせにより実現される。ソフトウェア及びファームウェアはプログラムとして記述され、メモリ６２に格納される。プロセッサ６１は、メモリ６２に記憶されたプログラムを読み出して実行することにより、各部の機能を実現する。プロセッサ６１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ６２には、例えば、ＲＡＭ、ＲＯＭ、フラッシュメモリー、ＥＰＲＯＭ及びＥＥＰＲＯＭ等の不揮発性又は揮発性の半導体メモリ、又は磁気ディスク、フレキシブルディスク、光ディスク、コンパクトディスク、ミニディスク及びＤＶＤ等が該当する。
【０１２２】
このように、制御装置２５の制御部２５ａ、記憶部２５ｂ、選択部２５ｃ及び切替部２５ｄの各機能は、処理回路によって実現することができる。また加湿空気清浄機１００は、加湿空気清浄機１００に備えられた各機器を制御するための装置を、制御装置２５以外に有していてもよい。加湿空気清浄機１００に備えられた各機器を制御するための装置の機能は、上記のように、処理回路によって実現される。
【符号の説明】
【０１２３】
１  本体部、  ２  給水タンク、  ３  貯水部、  ４  タンク受部、  ５  取付部、  ６  給水弁、  ７  蒸気生成部、  ７ａ  蒸気カバー、  ８  蒸発皿、  ９  ヒータ、  １０  ホース、  １１  第１ダクト、  １２  第１吹出口、  １３  ガードリブ、  １４  吸気口、  １５  第２ダクト、  １６  気流取込口、  １７  第２吹出口、  １８  蒸気混合空間、  １９  ガイド風路、  ２０  吸気風路、  ２１  ファン、  ２１ａ  モータ、  ２１ｂ  翼部、  ２２  空気清浄フィルター、  ２３  風向調整部、  ２４  操作表示部、  ２４ａ  操作部、  ２４ｂ  表示部、  ２５  制御装置、  ２５ａ  制御部、  ２５ｂ  記憶部、  ２５ｃ  選択部、  ２５ｄ  切替部、  ２６  清浄度検出部、  ２７  湿度検出部、  ６０  専用ハードウェア、  ６１  プロセッサ、  ６２  メモリ、  １００  加湿空気清浄機
【図１】
2017215127.tif 000003
【図２】
2017215127.tif 000004
【図３】
2017215127.tif 000005
【図４】
2017215127.tif 000006
【図５】
2017215127.tif 000007